【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
被検者のＸ線画像を取得し、前記Ｘ線画像を複数の出力装置へ出力するＸ線撮影装置であって、
前記Ｘ線画像の照射野領域の画素数表現による大きさが、外部格納装置の許容サイズよりも大きい場合、前記Ｘ線画像の前記照射野領域から前記許容サイズ以下の大きさを有する部分を切り出して第１の部分画像を得る第１の取得手段と、
前記第１の部分画像のライフサイズでの大きさが、プリンタが出力可能な画像のライフサイズでの大きさよりも大きい場合、前記第１の部分画像から前記出力可能な画像の大きさ以下の大きさを有する部分を切り出して第２の部分画像を得る第２の取得手段と、を備えることを特徴とするＸ線撮影装置。
【請求項２】
前記第１の部分画像を前記外部格納装置に出力する出力手段を更に備えることを特徴とする請求項１に記載のＸ線撮影装置。
【請求項３】
前記第２の部分画像を前記プリンタに出力する出力手段を更に備えることを特徴とする請求項１または２に記載のＸ線撮影装置。
【請求項４】
前記Ｘ線画像から前記照射野領域を抽出する抽出手段を更に備えることを特徴とする請求項１乃至３のいずれか１項に記載のＸ線撮影装置。
【請求項５】
前記第１の取得手段は、前記第１の部分画像を切り出すための、前記照射野領域からの部分の切り出し位置及び大きさを選択させる第１の選択手段を備えることを特徴とする請求項１乃至４のいずれか１項に記載のＸ線撮影装置。
【請求項６】
前記第２の取得手段は、前記第２の部分画像を切り出すための、前記第１の部分からの部分の切り出し位置及び大きさを選択させる第２の選択手段を備えることを特徴とする請求項１乃至５のいずれか１項に記載のＸ線撮影装置。
【請求項７】
Ｘ線撮影を行う撮影部位を指定する指定手段を更に備え、
前記第１の取得手段が前記照射野領域から前記第１の部分画像を切り出す際の切り出し位置が、前記指定手段で指定可能な撮影部位に応じて設定されている、ことを特徴とする請求項１乃至６のいずれか１項に記載のＸ線撮影装置。
【請求項８】
Ｘ線撮影を行う撮影部位を指定する指定手段を更に備え、
前記第２の取得手段が前記第１の部分画像から前記第２の部分画像を切り出す際の切り出し位置が、前記指定手段で指定可能な撮影部位に応じて設定されている、ことを特徴とする請求項１乃至６のいずれか１項に記載のＸ線撮影装置。
【請求項９】
被検者のＸ線画像を取得し、前記Ｘ線画像を複数の出力装置へ出力するＸ線撮影装置によるＸ線画像出力方法であって、
前記Ｘ線画像の照射野領域の画素数表現による大きさが、外部格納装置の許容サイズよりも大きい場合、前記Ｘ線画像の前記照射野領域から前記許容サイズ以下の大きさを有する部分を切り出して第１の部分画像を得る工程と、
前記第１の部分画像のライフサイズでの大きさが、プリンタが出力可能な画像のライフサイズでの大きさよりも大きい場合、前記第１の部分画像から前記出力可能な画像の大きさ以下の大きさを有する部分を切り出して第２の部分画像を得る工程と、
前記第１の部分画像を格納装置に出力する工程と、
前記第２の部分画像を前記プリンタに出力する工程と、を有することを特徴とするＸ線画像出力方法。
【請求項１０】
コンピュータに、請求項９に記載されたＸ線画像出力方法の各工程を実行させるためのプログラム。
【請求項１１】
Ｘ線画像処理方法であって、
Ｘ線撮影装置により取得されたデジタルＸ線画像において設定された部分オブジェクトを含む画像領域に基づいて、第１の出力装置へ送信される第１の部分画像を生成する工程と、前記第１の部分画像は前記Ｘ線画像の照射野領域に含まれ、
前記第１の部分画像の画像領域サイズが前記第１の出力装置とは異なる第２の出力装置の出力サイズよりも小さいか否かに基づいて、前記第２の出力装置へ送信される第２の部分画像を生成するか否かを判断する工程と、前記第２の部分画像の画像領域サイズは前記第１の部分画像の画像領域サイズよりも小さく、
前記判断する工程において得られた結果にしたがって、前記第２の部分画像を生成する処理を実行する工程と、
前記第１の部分画像または前記第２の部分画像のいずれかを前記第２の出力装置へ送信する工程と、を有することを特徴とするＸ線画像処理方法。
【請求項１２】
Ｘ線画像処理装置であって、
Ｘ線撮影装置により取得されたデジタルＸ線画像において設定された部分オブジェクトを含む画像領域に基づいて、第１の出力装置へ送信される第１の部分画像を生成する生成手段と、前記第１の部分画像は前記Ｘ線画像の照射野領域に含まれ、
前記第１の部分画像の画像領域サイズが前記第１の出力装置とは異なる第２の出力装置の出力サイズよりも小さいか否かに基づいて、前記第２の出力装置へ送信される第２の部分画像を生成するか否かを判断する判断手段と、前記第２の部分画像の画像領域サイズは前記第１の部分画像の画像領域サイズよりも小さく、
前記判断手段により提供される判断結果にしたがって、前記第２の部分画像を生成する処理を実行する実行手段と、
前記第１の部分画像または前記第２の部分画像のいずれかを前記第２の出力装置へ送信する送信手段と、を備えることを特徴とするＸ線画像処理装置。
【請求項１３】
前記生成手段は、照射野領域を抽出することにより前記第１の部分画像を生成することを特徴とする請求項１２に記載のＸ線画像処理装置。
【請求項１４】
前記生成手段は、操作手段を介して入力されたユーザ操作により取得された画像領域に基づいて、前記第１の部分画像を生成することを特徴とする請求項１２に記載のＸ線画像処理装置。
【請求項１５】
前記第１の部分画像の画像領域の大きさは、前記デジタルＸ線画像の画素サイズと前記第１の部分画像における画素数に基づいて決定されることを特徴とする請求項１２乃至１４のいずれか１項に記載のＸ線画像処理装置。
【請求項１６】
前記第１の部分画像の画像領域の大きさは、前記画素サイズと画素数にしたがって得られた大きさに所定の縮小率を乗じることにより決定されることを特徴とする請求項１５に記載のＸ線画像処理装置。
【請求項１７】
前記第２の出力装置から取得された前記第２の出力装置の最大出力サイズをメモリに格納する記録手段を更に備えることを特徴とする請求項１２に記載のＸ線画像処理装置。
【請求項１８】
前記第２の部分画像は、第１の部分画像の画像領域内で、メモリに格納された抽出位置情報に基づいて特定された領域を取得することにより生成されることを特徴とする請求項１２乃至１６のいずれか１項に記載のＸ線画像処理装置。
【請求項１９】
前記抽出位置情報は、前記デジタルＸ線画像に対して設定された撮影位置情報にしたがって選択されることを特徴とする請求項１８に記載のＸ線画像処理装置。
【請求項２０】
前記撮影位置情報が存在しない場合には、前記第２の部分画像は、操作手段を介して入力された操作により設定された前記抽出位置情報に基づいて生成されることを特徴とする請求項１９に記載のＸ線画像処理装置。
【請求項２１】
前記第２の部分画像が生成されない場合は、前記第１の部分画像が前記第２の出力装置へ送信され、前記第２の部分画像が生成される場合は、前記第２の部分画像が前記第２の出力装置へ送信される、ことを特徴とする請求項１２乃至２０のいずれか１項に記載のＸ線画像処理装置。
【請求項２２】
前記第１の出力装置は表示手段へ画像を出力する格納装置であり、前記第２の出力装置はプリンタであることを特徴とする請求項１２乃至２１のいずれか１項に記載のＸ線画像処理装置。
【請求項２３】
請求項１１に記載されたＸ線画像処理方法の各工程をコンピュータに実行させるためのプログラム。
【請求項２４】
Ｘ線撮影を行うＸ線センサのための制御装置であって、
Ｘ線センサからＸ線画像を受信する受信手段と、
前記受信されたＸ線画像の第１の部分画像の大きさを、前記受信されたＸ線画像の照射野領域内に制限し、前記受信されたＸ線画像の第２の部分画像の大きさを、前記第１の部分画像内に制限する制限手段と、
前記第１の部分画像を外部格納装置へ出力し、前記第２の部分画像をプリンタ装置へ出力する出力手段と、を備えることを特徴とする制御装置。
【請求項２５】
Ｘ線撮影装置から外部装置へＸ線画像を出力する方法であって、
Ｘ線センサからＸ線画像を受信する工程と、
前記受信されたＸ線画像の第１の部分画像の大きさを、前記受信されたＸ線画像の照射野領域内に制限する工程と、
前記受信されたＸ線画像の第２の部分画像の大きさを、前記第１の部分画像内に制限する工程と、
前記第１の部分画像を外部格納装置へ出力する工程と、
前記第２の部分画像をプリンタ装置へ出力する工程と、を有することを特徴とする方法。
【請求項２６】
請求項２５に記載された方法の各工程をコンピュータに実行させるためのプログラム。
【手続補正２】
【補正対象書類名】明細書
【補正対象項目名】０００９
【補正方法】変更
【補正の内容】
【０００９】
上記の目的を達成するための本発明の一態様によるＸ線画像撮影装置は以下の構成を備える。すなわち、
被検者のＸ線画像を取得し、前記Ｘ線画像を複数の出力装置へ出力するＸ線撮影装置であって、
前記Ｘ線画像の照射野領域の画素数表現による大きさが、外部格納装置の許容サイズよりも大きい場合、前記Ｘ線画像の前記照射野領域から前記許容サイズ以下の大きさを有する部分を切り出して第１の部分画像を得る第１の取得手段と、
前記第１の部分画像のライフサイズでの大きさが、プリンタが出力可能な画像のライフサイズでの大きさよりも大きい場合、前記第１の部分画像から前記出力可能な画像の大きさ以下の大きさを有する部分を切り出して第２の部分画像を得る第２の取得手段と、を備える。